(57)【要約】【課題】係止ピンを使用するときに自動的に突出させることにより、出入りの邪魔にならないようにするとともに、玄関の見栄えを向上させることができるドアガード装置を提供すること。【解決手段】台座１を介して係止アーム２を揺動可能に取り付けるとともに、係止アーム２のスライド溝３に、係止ピン５をスライド可能に掛け止めるドアガード装置において、係止ピン５を受座６に出没可能に設けるとともに、係止ピン６を、係止アーム２の位置に応じて、係止アーム２を掛け止める突出状態と、突出状態から退入する退入状態とに選択的に出没させる出没機構７、８を設ける。【選択図】図１
2008175044.tif 000002
【特許請求の範囲】
【請求項１】
台座を介して係止アームを揺動可能に取り付けるとともに、該係止アームのスライド溝に、係止ピンをスライド可能に掛け止めるドアガード装置において、前記係止ピンを受座に出没可能に設けるとともに、該係止ピンを、前記係止アームの位置に応じて、係止アームを掛け止める突出状態と、該突出状態から退入する退入状態とに選択的に出没させる出没機構を設けたことを特徴とするドアガード装置。
【請求項２】
出没機構が、受座に復帰方向に付勢して出没可能に設けられ、かつ退入することにより係止ピンを突出状態にするとともに復帰することにより係止ピンを退入状態とする受座ピンと、係止アームに設けられ、ドアの閉止位置で係止アームを起こすことにより受座ピンを押し込む押圧片とを備えたことを特徴とする請求項１記載のドアガード装置。
【請求項３】
出没機構が、受座に復帰方向に付勢して出没可能に設けられ、かつ退入することにより係止ピンを突出状態にするとともに復帰することにより係止ピンを退入状態とする受座ピンと、該受座ピンの先端に設けられた磁石と、係止アームに設けられ、ドアの閉止位置で係止アームを起こすことにより受座ピンの磁石と対面する同極の磁石とを備えたことを特徴とする請求項１記載のドアガード装置。
【請求項４】
出没機構が、係止ピンの先端に設けられた磁石と、係止アームの台座等のドア側に設けられ、ドアの閉止位置で係止ピンの磁石と対面する異極の磁石と、係止アームの台座等のドア側に設けられ、ドアをやや開いた位置で係止ピンの磁石と対面する同極の磁石とを備えたことを特徴とする請求項１記載のドアガード装置。
【請求項５】
係止ピンを受座に揺動可能に枢着し、揺動起立により突出するようにしたことを特徴とする請求項１、２、３又は４記載のドアガード装置。
【請求項６】
係止ピンが受座に揺動可能に枢着され、揺動により突出するよう設けられるとともに、出没機構が、受座に復帰方向に付勢して出没可能に設けられ、かつ退入することにより係止ピンを突出状態にするとともに復帰することにより係止ピンを退入状態とする受座ピンと、係止アームの台座等のドア側に設けられ、ドアの閉止位置で受座ピンを押し込む押圧片とを備えたことを特徴とする請求項１記載のドアガード装置。
【請求項７】
係止ピンに設けたピニオンギヤを回転させるラックを受座ピンに押込方向に設けるとともに、該ラックを該押込方向に付勢して所定範囲で摺動可能に支持せしめたことを特徴とする請求項６記載のドアガード装置。
【請求項８】
係止ピンが受座に揺動可能に枢着され、揺動により突出するよう設けられるとともに、出没機構が、受座に復帰方向に付勢して出没可能に設けられ、かつ退入することにより係止ピンを突出状態にするとともに復帰することにより係止ピンを退入状態とする受座ピンと、該受座ピンの先端に設けられた磁石と、係止アームの台座等のドア側に設けられ、ドアの閉止位置で受座ピンの磁石と対面する同極の磁石とを備えたことを特徴とする請求項１記載のドアガード装置。
【請求項９】
係止ピンが受座に揺動可能に枢着され、揺動により突出するよう設けられるとともに、出没機構が、受座に退入方向に付勢して出没可能に設けられ、かつ突出することにより係止ピンを突出状態にするとともに退入することにより係止ピンを退入状態とする受座ピンと、該受座ピンの先端に設けられた磁石と、係止アームの台座等のドア側に設けられ、ドアの閉止位置で受座ピンの磁石と対面する異極の磁石とを備えたことを特徴とする請求項１記載のドアガード装置。
【請求項１０】
係止ピンが受座に揺動可能に枢着され、揺動により出没するよう設けられるとともに、出没機構が、係止ピン側に設けられ、かつ移動することにより係止ピンを揺動させる磁石と、ドアの閉止位置で係止ピン側の磁石に作用して移動させる係止アームの台座等のドア側の磁石とを備えたことを特徴とする請求項１記載のドアガード装置。
【請求項１１】
係止ピンをドアフレームの内面と平行に揺動可能に枢着したことを特徴とする請求項６、７、８、９又は１０記載のドアガード装置。
【発明の詳細な説明】
【技術分野】
【０００１】
本発明は、玄関等のドアを半開きの状態でロックすることができるドアガード装置に関し、特に、係止ピンを使用するときに突出させることにより、出入りの邪魔にならないようにするとともに、玄関の見栄えを向上させることができるドアガード装置に関するものである。
【背景技術】
【０００２】
従来、玄関ドア等の防犯用として、ドア本体に取り付けたシリンダー錠とは別に、防犯の用心鎖としてドアガード装置が設置されている。
このドアガード装置は、例えば、図３４に示すように、ドアＤの先端部の内側に揺動可能に取り付けられた係止アーム２と、ドアフレームＦ側に固定され、係止アーム２のスライド溝３に頭部を掛止して、スライド可能に掛け止められる係止ピン５とを備えている。
そして、係止ピン５を係止アーム２のスライド溝３に挿入した状態でドアＤを開くと、ドアＤは係止ピン５がスライド溝３を移動する範囲内でしか開くことができず、半開きの状態でロックすることができる。
【０００３】
しかしながら、上記従来のドアガード装置では、係止ピン５がドアフレームＦからその内側に突出していることから、人が出入りする際に体や荷物に当たったり、玄関の見栄えを損ねるという問題があった。
【発明の開示】
【発明が解決しようとする課題】
【０００４】
本発明は、上記従来のドアガード装置が有する問題点に鑑み、係止ピンを使用するときに自動的に突出させることにより、出入りの邪魔にならないようにするとともに、玄関の見栄えを向上させることができるドアガード装置を提供することを目的とする。
【課題を解決するための手段】
【０００５】
上記目的を達成するため、本発明のドアガード装置は、台座を介して係止アームを揺動可能に取り付けるとともに、該係止アームのスライド溝に、係止ピンをスライド可能に掛け止めるドアガード装置において、前記係止ピンを受座に出没可能に設けるとともに、該係止ピンを、前記係止アームの位置に応じて、係止アームを掛け止める突出状態と、該突出状態から退入する退入状態とに選択的に出没させる出没機構を設けたことを特徴とする。
【０００６】
この場合において、出没機構が、受座に復帰方向に付勢して出没可能に設けられ、かつ退入することにより係止ピンを突出状態にするとともに復帰することにより係止ピンを退入状態とする受座ピンと、係止アームに設けられ、ドアの閉止位置で係止アームを起こすことにより受座ピンを押し込む押圧片とを備えることができる。
【０００７】
また、出没機構が、受座に復帰方向に付勢して出没可能に設けられ、かつ退入することにより係止ピンを突出状態にするとともに復帰することにより係止ピンを退入状態とする受座ピンと、該受座ピンの先端に設けられた磁石と、係止アームに設けられ、ドアの閉止位置で係止アームを起こすことにより受座ピンの磁石と対面する同極の磁石とを備えることができる。
【０００８】
また、出没機構が、係止ピンの先端に設けられた磁石と、係止アームの台座等のドア側に設けられ、ドアの閉止位置で係止ピンの磁石と対面する異極の磁石と、係止アームの台座等のドア側に設けられ、ドアを開いた位置で係止ピンの磁石と対面する同極の磁石とを備えることができる。
【０００９】
また、係止ピンを受座に揺動可能に枢着し、揺動起立により突出するようにすることができる。
【００１０】
また、係止ピンが受座に揺動可能に枢着され、揺動により突出するよう設けられるとともに、出没機構が、受座に復帰方向に付勢して出没可能に設けられ、かつ退入することにより係止ピンを突出状態にするとともに復帰することにより係止ピンを退入状態とする受座ピンと、係止アームの台座等のドア側に設けられ、ドアの閉止位置で受座ピンを押し込む押圧片とを備えることができる。
【００１１】
また、係止ピンに設けたピニオンギヤを回転させるラックを受座ピンに押込方向に設けるとともに、該ラックを該押込方向に付勢して所定範囲で摺動可能に支持させることができる。
【００１２】
また、係止ピンが受座に揺動可能に枢着され、揺動により突出するよう設けられるとともに、出没機構が、受座に復帰方向に付勢して出没可能に設けられ、かつ退入することにより係止ピンを突出状態にするとともに復帰することにより係止ピンを退入状態とする受座ピンと、該受座ピンの先端に設けられた磁石と、係止アームの台座等のドア側に設けられ、ドアの閉止位置で受座ピンの磁石と対面する同極の磁石とを備えることができる。
【００１３】
また、係止ピンが受座に揺動可能に枢着され、揺動により突出するよう設けられるとともに、出没機構が、受座に退入方向に付勢して出没可能に設けられ、かつ突出することにより係止ピンを突出状態にするとともに退入することにより係止ピンを退入状態とする受座ピンと、該受座ピンの先端に設けられた磁石と、係止アームの台座等のドア側に設けられ、ドアの閉止位置で受座ピンの磁石と対面する異極の磁石とを備えることができる。
【００１４】
また、係止ピンが受座に揺動可能に枢着され、揺動により出没するよう設けられるとともに、出没機構が、係止ピン側に設けられ、かつ移動することにより係止ピンを揺動させる磁石と、ドアの閉止位置で係止ピン側の磁石に作用して移動させる係止アームの台座等のドア側の磁石とを備えることができる。
【００１５】
また、係止ピンをドアフレームの内面と平行に揺動可能に枢着することができる。
【発明の効果】
【００１６】
本発明のドアガード装置によれば、台座を介して係止アームを揺動可能に取り付けるとともに、該係止アームのスライド溝に、係止ピンをスライド可能に掛け止めるドアガード装置において、前記係止ピンを受座に出没可能に設けるとともに、該係止ピンを、前記係止アームの位置、具体的には、係止アームを揺動可能に取り付けた台座の位置や係止アームの揺動位置に応じて、係止アームを掛け止める突出状態と、該突出状態から退入する退入状態とに選択的に出没させる出没機構を設けることにより、係止ピンを普段は退入させ、使用するときに自動的に突出させることができ、出入りの邪魔にならないようにするとともに、玄関の見栄えを向上させることができる。
【００１７】
この場合において、出没機構が、受座に復帰方向に付勢して出没可能に設けられ、かつ退入することにより係止ピンを突出状態にするとともに復帰することにより係止ピンを退入状態とする受座ピンと、係止アームに設けられ、ドアの閉止位置で係止アームを起こすことにより受座ピンを押し込む押圧片とを備えることにより、係止アームを係止ピンに掛ける際の起こし動作で押圧片により受座ピンを押圧し、受座ピンを退入させて係止ピンを突出させるとともに、係止アームを外した後は、受座ピンの復帰する力により係止ピンを退入させることができる。
【００１８】
また、出没機構が、受座に復帰方向に付勢して出没可能に設けられ、かつ退入することにより係止ピンを突出状態にするとともに復帰することにより係止ピンを退入状態とする受座ピンと、該受座ピンの先端に設けられた磁石と、係止アームに設けられ、ドアの閉止位置で係止アームを起こすことにより受座ピンの磁石と対面する同極の磁石とを備えることにより、係止アームを係止ピンに掛ける際の起こし動作で同極の磁石を対面させ、磁石の反発力により受座ピンを退入させて係止ピンを突出させるとともに、係止アームを外した後は、受座ピンの復帰する力により係止ピンを退入させることができる。
【００１９】
また、出没機構が、係止ピンの先端に設けられた磁石と、係止アームの台座等のドア側に設けられ、ドアの閉止位置で係止ピンの磁石と対面する異極の磁石と、係止アームの台座等のドア側に設けられ、ドアを開いた位置で係止ピンの磁石と対面する同極の磁石とを備えることにより、係止アームを係止ピンに掛けるドアの閉止位置では引き合う磁石により係止ピンを突出させるとともに、係止アームを外した後は、ドアを開いた位置で対面する磁石の反発力により係止ピンを退入させることができる。
【００２０】
また、係止ピンを受座に揺動可能に枢着し、揺動起立により突出するようにすることにより、受座側の厚みを小さくし、係止ピンを埋め込む必要がないことからドア又はドアフレームに簡易に設置することができる。
【００２１】
また、係止ピンが受座に揺動可能に枢着され、揺動により突出するよう設けられるとともに、出没機構が、受座に復帰方向に付勢して出没可能に設けられ、かつ退入することにより係止ピンを突出状態にするとともに復帰することにより係止ピンを退入状態とする受座ピンと、係止アームの台座等のドア側に設けられ、ドアの閉止位置で受座ピンを押し込む押圧片とを備えることにより、ドアを閉めることにより押圧片で受座ピンを押圧し、受座ピンを退入させて係止ピンを突出させるとともに、係止アームを外してドアを開けた後は、受座ピンの復帰する力により係止ピンを退入させることができる。
【００２２】
また、係止ピンに設けたピニオンギヤを回転させるラックを受座ピンに押込方向に設けるとともに、該ラックを該押込方向に付勢して所定範囲で摺動可能に支持することにより、ドアを少し開けた状態でもラックを押込位置に留めて、係止ピンの突出状態を保持することができ、これにより、係止アームの係止ピンへの掛け外しを円滑に行うことができる。
【００２３】
また、係止ピンが受座に揺動可能に枢着され、揺動により突出するよう設けられるとともに、出没機構が、受座に復帰方向に付勢して出没可能に設けられ、かつ退入することにより係止ピンを突出状態にするとともに復帰することにより係止ピンを退入状態とする受座ピンと、該受座ピンの先端に設けられた磁石と、係止アームの台座等のドア側に設けられ、ドアの閉止位置で受座ピンの磁石と対面する同極の磁石とを備えることにより、ドアを閉めることにより同極の磁石を対面させ、磁石の反発力により受座ピンを退入させて係止ピンを突出させるとともに、係止アームを外してドアを開けた後は、受座ピンの復帰する力により係止ピンを退入させることができる。
【００２４】
また、係止ピンが受座に揺動可能に枢着され、揺動により突出するよう設けられるとともに、出没機構が、受座に退入方向に付勢して出没可能に設けられ、かつ突出することにより係止ピンを突出状態にするとともに退入することにより係止ピンを退入状態とする受座ピンと、該受座ピンの先端に設けられた磁石と、係止アームの台座等のドア側に設けられ、ドアの閉止位置で受座ピンの磁石と対面する異極の磁石とを備えることにより、係止アームを係止ピンに掛けるドアの閉止位置では引き合う磁石により係止ピンを突出させるとともに、係止アームを外してドアを開けた後は、受座ピンの復帰する力により係止ピンを退入させることができる。
【００２５】
また、係止ピンが受座に揺動可能に枢着され、揺動により出没するよう設けられるとともに、出没機構が、係止ピン側に設けられ、かつ移動することにより係止ピンを揺動させる磁石と、ドアの閉止位置で係止ピン側の磁石に作用して移動させる係止アームの台座等のドア側の磁石とを備えることにより、係止アームを係止ピンに掛けるドアの閉止位置では、作用し合う磁石により係止ピンを突出させるとともに、係止アームを外してドアを開けた後は、磁石の力を解放し、ばねや重力等によって係止ピンを退入させることができる。
【００２６】
また、係止ピンをドアフレームの内面と平行に揺動可能に枢着することにより、係止ピンをドアフレームの内面に沿う邪魔になりにくい位置に退入させることができる。
【発明を実施するための最良の形態】
【００２７】
以下、本発明のドアガード装置の実施の形態を、図面に基づいて説明する。
【実施例１】
【００２８】
図１〜図４に、本発明のドアガード装置の第１実施例を示す。
このドアガード装置は、図２１に示すように、ドアＤの先端部内側に、台座１を介して揺動可能に取り付けられた係止アーム２と、ドアフレームＦ側に固定され、係止アーム２のスライド溝３に大径の頭部４を掛止して、スライド可能に掛け止められる係止ピン５とを備えている。
そして、このドアガード装置は、係止ピン５をその受座６に出没可能に設けるとともに、該係止ピン５を、係止アーム２を掛け止める突出状態と、該突出状態から退入する退入状態とに選択的に出没させる出没機構を設けている。
【００２９】
出没機構は、本実施例では、受座６に復帰方向に付勢して出没可能に設けられ、退入することにより係止ピン５を突出状態にするとともに復帰することにより係止ピン５を退入状態とする受座ピン７と、係止アーム２に設けられ、ドアの閉止位置で係止アーム２を起こすことにより受座ピン７を押し込む押圧片８とを備えている。
【００３０】
係止アーム２は、図３に示すように、中央にスライド溝３を備えたＵ字状の金属杆からなり、その基部には、台座１に枢支される１対の揺動軸２１が外側に一体に突設されている。
係止アーム２の下側の基部には、その表側に、断面略三角形の突条からなる押圧片８が設けられており、該押圧片８は、図１（ｂ）に示すように、ドアの閉止位置で係止アーム２を約９０°起こすことにより受座ピン７を押し込むことができる。
【００３１】
係止ピン５は、ドアフレームに埋め込まれる受座６に軸方向に移動可能に配設されている。
係止ピン５の下面にはラック５１が形成されており、該ラック５１は係止ピン５の下で受座６に枢支されたピニオンギヤ６１と歯合している。
ピニオンギヤ６１の下には、上面にラック７１が形成された受座ピン７が配設されており、該受座ピン７は、頭部４が突出する状態で受座６に軸方向に移動可能に配設されている。
この受座ピン７は、受座内部に配設されたばね７３によって弾支されており、係止アーム２の押圧片８で押し込まれても、元の位置に復帰する。
なお、係止ピン５と受座ピン７の位置や、受座ピン７の退入距離と係止ピン５の突出距離は、ギヤの設定により変更することができる。
【００３２】
次に、本第１実施例の出没機構の動作を説明する。
ドアガード装置を使用しないときは、図１（ａ）に示すように、係止ピン５は退入状態にある。
ドアガード装置を使用するときは、図１（ｂ）に示すように、ドアを閉止した状態で、係止アーム２を係止ピン５に掛けるために約９０°起こすと、係止アーム２の押圧片８が受座ピン７を押し込む。
受座ピン７が押し込まれると、受座ピン７のラック７１が受座６のピニオンギヤ６１を回転させ、このピニオンギヤ６１にラック５１が歯合する係止ピン５を移動させて突出状態とする。
また、係止アーム２を係止ピン５から外した後は、図１（ａ）に示すように、受座ピン７の復帰する力により、ラック５１、７１とピニオンギヤ６１を介して係止ピン５を自動的に退入させることができる。
【００３３】
本第１実施例のように、出没機構が、受座６に復帰方向に付勢して出没可能に設けられ、かつ退入することにより係止ピン５を突出状態にするとともに復帰することにより係止ピン５を退入状態とする受座ピン７と、係止アーム２に設けられ、ドアの閉止位置で係止アーム２を起こすことにより受座ピン７を押し込む押圧片８とを備えることにより、係止アーム２を係止ピン５に掛ける際の起こし動作で押圧片８により受座ピン７を押圧し、受座ピン７を退入させて係止ピン５を突出させるとともに、係止アーム２を外した後は、受座ピン７の復帰する力により係止ピン５を退入させることができる。
【実施例２】
【００３４】
図５〜図８に、本発明のドアガード装置の第２実施例を示す。
このドアガード装置は、図２１に示すように、ドアＤの先端部内側に、台座１を介して揺動可能に取り付けられた係止アーム２と、ドアフレームＦ側に固定され、係止アーム２のスライド溝３に大径の頭部４を掛止して、スライド可能に掛け止められる係止ピン５とを備えている。
そして、このドアガード装置は、係止ピン５をその受座６に出没可能に設けるとともに、該係止ピン５を、係止アーム２を掛け止める突出状態と、該突出状態から退入する退入状態とに選択的に出没させる出没機構を設けている。
【００３５】
出没機構は、本実施例では、受座６に復帰方向に付勢して出没可能に設けられ、退入することにより係止ピン５を突出状態にするとともに復帰することにより係止ピン５を退入状態とする受座ピン７と、該受座ピン７の先端に設けられた磁石７２と、係止アーム２に設けられ、ドアの閉止位置で係止アーム２を起こすことにより受座ピン７の磁石７２と対面する同極の磁石２２とを備えている。
【００３６】
係止アーム２は、図７に示すように、中央にスライド溝３を備えたＵ字状の金属杆からなり、その基部には、台座１に枢支される１対の揺動軸２１が外側に一体に突設されている。
係止アーム２の下側の基部には、その表側に、受座ピン７の磁石７２と反発する短冊状の磁石２２が設けられており、該短冊状の磁石２２は、ドアの閉止位置で係止アーム２を約９０°起こすことにより受座ピン７の磁石７２と対面し、反発する磁力によって受座ピン７を退入させる。
【００３７】
係止ピン５は、ドアフレームに埋め込まれる受座６に軸方向に移動可能に配設されている。
係止ピン５の下面にはラック５１が形成されており、該ラック５１は係止ピン５の下で受座６に枢支されたピニオンギヤ６１と歯合している。
ピニオンギヤ６１の下には、上面にラック７１が形成された受座ピン７が配設されており、該受座ピン７は、先端の磁石７２が突出する状態で受座６に軸方向に移動可能に配設されている。
この受座ピン７は、受座内部に配設されたばね７３によって弾支されており、退入しても磁石７２と磁石２２の反発力がなくなれば元の位置に復帰する。
【００３８】
次に、本第２実施例の出没機構の動作を説明する。
ドアガード装置を使用しないときは、図５（ａ）に示すように、係止ピン５は退入状態にある。
ドアガード装置を使用するときは、ドアを閉止した状態で、図５（ｂ）に示すように、係止アーム２を係止ピン５に掛けるために起こすと、係止アーム２の磁石２２が受座ピン７の磁石７２と対面し、同極の磁石の反発力により受座ピン７を退入させる。
受座ピン７が退入すると、受座ピン７のラック７１が受座６のピニオンギヤ６１を回転させ、このピニオンギヤ６１にラック５１が歯合する係止ピン５を移動させて突出状態とする。
また、係止アーム２を係止ピン５から外した後は、図５（ａ）に示すように、受座ピン７の復帰する力により、ラック５１、７１とピニオンギヤ６１を介して係止ピン５を自動的に退入させることができる。
【００３９】
本第２実施例のように、出没機構が、受座６に復帰方向に付勢して出没可能に設けられ、かつ退入することにより係止ピン５を突出状態にするとともに復帰することにより係止ピン５を退入状態とする受座ピン７と、該受座ピン７の先端に設けられた磁石７２と、係止アーム２に設けられ、ドアの閉止位置で係止アーム２を起こすことにより受座ピン７の磁石７２と対面する同極の磁石２２とを備えることにより、係止アーム２を係止ピン５に掛ける際の起こし動作で同極の磁石２２を対面させ、磁石の反発力により受座ピン７を退入させて係止ピン５を突出させるとともに、係止アーム２を外した後は、受座ピン７の復帰する力により係止ピン５を退入させることができる。
【実施例３】
【００４０】
図９〜図１２に、本発明のドアガード装置の第３実施例を示す。
このドアガード装置は、図２１に示すように、ドアＤの先端部内側に、台座１を介して揺動可能に取り付けられた係止アーム２と、ドアフレームＦ側に固定され、係止アーム２のスライド溝３に大径の頭部４を掛止して、スライド可能に掛け止められる係止ピン５とを備えている。
そして、このドアガード装置は、係止ピン５をその受座６に出没可能に設けるとともに、該係止ピン５を、係止アーム２を掛け止める突出状態と、該突出状態から退入する退入状態とに選択的に出没させる出没機構を設けている。
【００４１】
出没機構は、本実施例では、係止ピン５の先端に設けられた磁石５２と、係止アーム２の台座１に設けられ、ドアの閉止位置で係止ピン５の磁石５２と対面する異極の磁石１１と、係止アーム２の台座１に設けられ、ドアを開いた位置で係止ピン５の磁石５２と対面する同極の磁石１２とを備えている。
【００４２】
係止アーム２は、図１１に示すように、中央にスライド溝３を備えたＵ字状の金属杆からなり、その基部には台座１に枢支される１対の揺動軸２１が外側に一体に突設されている。
係止アーム２の台座１には、図９（ｂ）、（ｃ）に示すように、ドアの閉止位置で係止ピン５の磁石５２と対面して引き合うことにより、係止ピン５を突出状態とする異極の磁石１１と、図９（ａ）に示すように、ドアを開いた位置で係止ピン５の磁石５２と対面して反発することにより、係止ピン５を退入状態とする同極の磁石１２とを備えている。
異極の磁石１１は、図１１（ａ）、（ｄ）に示すように、台座１からドアの移動方向に延設された棒状のものからなり、同極の磁石１２は、この異極の磁石１１の先端に固定されている。
【００４３】
係止ピン５は、ドアフレームに埋め込まれる受座６に軸方向に移動可能に配設されている。
係止ピン５は、その頭部４に磁石５２が埋設されるとともに、その軸部の端部には、受座６の溝６２を摺動し係止ピン５の突出長さを規制する抜け止めピン５３が突設されている。
この場合、係止ピン５の磁石５２と台座１の磁石１１、１２との間に空隙を設けたり、緩衝ゴム９を設けたりすることにより、突出時の衝撃を緩和することができる。
なお、緩衝ゴム９は、図１２（ｄ）〜（ｅ）に示すように、頭部４の根元や軸部の後端面、受座６の溝６２の両端等に設けることもできる。
【００４４】
次に、本第３実施例の出没機構の動作を説明する。
ドアを開いた状態では、図９（ａ）に示すように、係止ピン５は退入状態にある。
ドアガード装置を使用するときは、図９（ｂ）に示すように、ドアを閉止しようとすると、ドアが閉まる直前に、台座１の異極の磁石１１が係止ピン５の磁石５２と対面し、磁石１１、５２の引き合う力により係止ピン５を突出状態にする。
この状態で、図９（ｃ）に示すように、係止アーム２を約９０°起こして、係止ピン５に掛け止める。
また、係止アーム２を係止ピン５から外した後は、図９（ａ）に示すように、ドアが開きかけると、台座１の同極の磁石１２が係止ピン５の磁石５２と対面し、磁石１２、５２の反発する力により係止ピン５を自動的に退入状態にする。
【００４５】
本第３実施例のように、出没機構が、係止ピン５の先端に設けられた磁石５２と、係止アーム２の台座１に設けられ、ドアの閉止位置で係止ピン５の磁石５２と対面する異極の１１と、係止アーム２の台座１に設けられ、ドアを開いた位置で係止ピン５の磁石５２と対面する同極の磁石１２とを備えることにより、係止アーム２を係止ピン５に掛けるドアの閉止位置では引き合う磁石１１、５２により係止ピン５を突出させるとともに、係止アーム２を外した後は、ドアを開いた位置で対面する磁石１２、５２の反発力により係止ピン５を退入させることができる。
【実施例４】
【００４６】
図１３〜図１５に、本発明のドアガード装置の第４実施例を示す。
このドアガード装置は、第３実施例の係止ピン側の構造を変更したものであり、係止ピン５を受座６に揺動可能に枢着し、揺動起立により突出するようにしている。
係止ピン５は、その頭部４に磁石５２が埋設されるとともに、軸部が受座６に揺動可能に軸着されており、受座６に半身が埋まるように倒れることにより退入状態となり、例えば、７０〜９０°に揺動起立することにより突出状態となる。
受座６は、平板状のものからなり、図１４〜図１５に示すように、係止ピン５を受容する凹部６３を備え、該凹部の係止ピン５の頭部４を受ける部分には緩衝ゴム９が配設されている。
【００４７】
本第４実施例のように、係止ピン５を受座６に揺動可能に枢着し、揺動起立により突出するようにすることにより、受座側の厚みを小さくし、係止ピン５を埋め込む必要がないことからドア又はドアフレームに簡易に設置することができる。
なお、本第４実施例のその他の構成及び作用は、第３実施例と同一である。
【実施例５】
【００４８】
図１６に、本発明のドアガード装置の第５実施例を示す。
このドアガード装置は、図２１に示すように、ドアＤの先端部内側に、台座１を介して揺動可能に取り付けられた係止アーム２と、ドアフレームＦ側に固定され、係止アーム２のスライド溝３に大径の頭部４を掛止して、スライド可能に掛け止められる係止ピン５とを備えている。
そして、このドアガード装置は、係止ピン５をその受座６に出没可能に設けるとともに、該係止ピン５を、係止アーム２を掛け止める突出状態と、該突出状態から退入する退入状態とに選択的に出没させる出没機構を設けている。
【００４９】
係止ピン５は、水平面上を揺動するように受座６に枢着されており、ドアＤ側に揺動することにより突出状態となる。
係止ピン５の枢着部には、後述する受座ピン７のラック７１と歯合するピニオンギヤ５４が設けられており、該ピニオンギヤ５４は、ラック７１の移動で回転することにより、係止ピン５を突出状態と退入状態の間で揺動させる。
【００５０】
出没機構は、受座６に復帰方向に付勢して出没可能に設けられ、かつ退入することにより係止ピン５を突出状態にするとともに復帰することにより係止ピン５を退入状態とする受座ピン７と、台座１に設けられ、ドアＤの閉止位置で受座ピン７を退入側に押し込む押圧片８とを備えている。
受座ピン７は、ドアフレームＦからドアＤ側に突き出ており、ドアＤ側の押圧片８が当接することにより、ドアＤの厚み方向に押し込まれる。
【００５１】
受座ピン７には、係止ピン５のピニオンギヤ５４を回転させるラック７１が、受座ピン７の押込方向に設けられている。
ラック７１は、図１７に示すように、この押込方向にばね７４によって付勢されており、かつこの押込方向と反対側に一定の範囲で摺動できるように受座ピン７に支持されている。
これにより、図１７（ｂ）に示すように、ドアＤを少し開けた状態でもラック７１を押込位置に留め、係止ピン５の突出状態を保持することにより、係止アーム２の係止ピン５への掛け外しを円滑に行うようにしている。
【００５２】
このように、本第５実施例のドアガード装置は、係止ピン５が受座６に揺動可能に枢着され、揺動により突出するよう設けられるとともに、出没機構が、受座６に復帰方向に付勢して出没可能に設けられ、かつ退入することにより係止ピン５を突出状態にするとともに復帰することにより係止ピン５を退入状態とする受座ピン７と、台座１に設けられ、ドアＤの閉止位置で受座ピン７を押し込む押圧片８とを備えることから、ドアＤを閉めることにより押圧片８で受座ピン７を押圧し、受座ピン７を退入させて係止ピン５を突出させるとともに、係止アーム２を外してドアＤを開けた後は、受座ピン７の復帰する力により係止ピン５を退入させることができる。
【００５３】
また、係止ピン５に設けたピニオンギヤ５４を回転させるラック７１を受座ピン７に押込方向に設けるとともに、該ラック７１を該押込方向に付勢して所定範囲で摺動可能に支持することにより、ドアＤを少し開けた状態でもラック７１を押込位置に留めて、係止ピン５の突出状態を保持することができ、これにより、係止アーム２の係止ピン５への掛け外しを円滑に行うことができる。
【実施例６】
【００５４】
図１８に、本発明のドアガード装置の第６実施例を示す。
このドアガード装置は、図２１に示すように、ドアＤの先端部内側に、台座１を介して揺動可能に取り付けられた係止アーム２と、ドアフレームＦ側に固定され、係止アーム２のスライド溝３に大径の頭部４を掛止して、スライド可能に掛け止められる係止ピン５とを備えている。
そして、このドアガード装置は、係止ピン５をその受座６に出没可能に設けるとともに、該係止ピン５を、係止アーム２を掛け止める突出状態と、該突出状態から退入する退入状態とに選択的に出没させる出没機構を設けている。
【００５５】
係止ピン５は、水平面上を揺動するように受座６に枢着されており、ドアＤ側に揺動することにより突出状態となる。
係止ピン５の枢着部には、後述する受座ピン７のラック７１と歯合するピニオンギヤ５４が設けられており、該ピニオンギヤ５４は、ラック７１の移動で回転することにより、係止ピン５を突出状態と退入状態の間で揺動させる。
【００５６】
出没機構は、受座６に復帰方向に付勢して出没可能に設けられ、かつ退入することにより係止ピン５を突出状態にするとともに復帰することにより係止ピン５を退入状態とする受座ピン７と、該受座ピン７の先端に設けられた磁石７２と、台座１に設けられ、ドアＤの閉止位置で受座ピン７の磁石７２と対面する同極の磁石１２とを備えている。
【００５７】
受座ピン７は、ドアフレームＦの内面に沿って水平に摺動するように受座６に支持されており、係止ピン５のピニオンギヤ５４を回転させるラック７１が一体に設けられている。
【００５８】
このように、本第６実施例のドアガード装置は、係止ピン５が受座６に揺動可能に枢着され、揺動により突出するよう設けられるとともに、出没機構が、受座６に復帰方向に付勢して出没可能に設けられ、かつ退入することにより係止ピン５を突出状態にするとともに復帰することにより係止ピン５を退入状態とする受座ピン７と、該受座ピン７の先端に設けられた磁石７２と、台座１に設けられ、ドアＤの閉止位置で受座ピン７の磁石７２と対面する同極の磁石１２とを備えることから、ドアＤを閉めることにより同極の磁石１２、７２を対面させ、磁石１２、７２の反発力により受座ピン７を退入させて係止ピン５を突出させるとともに、係止アーム２を外してドアＤを開けた後は、受座ピン７の復帰する力により係止ピン５を退入させることができる。
【実施例７】
【００５９】
図１９に、本発明のドアガード装置の第７実施例を示す。
このドアガード装置は、第６実施例のドアガード装置の磁石を異極とし、引き合うように用いるものである。
すなわち、このドアガード装置では、出没機構が、受座６に退入方向に付勢して出没可能に設けられ、かつ突出することにより係止ピン５を突出状態にするとともに退入することにより係止ピン５を退入状態とする受座ピン７と、該受座ピン７の先端に設けられた磁石７２と、台座１に設けられ、ドアＤの閉止位置で受座ピン７の磁石７２と対面する異極の磁石１１とを備えている。
【００６０】
受座ピン７は、引っ張りばね７５によって退入方向に付勢されるとともに、ドアフレームＦの内面に沿って水平に摺動するように受座６に支持されており、係止ピン５のピニオンギヤ５４を回転させるラック７１が一体に設けられている。
この場合、受座ピン７のラック７１は、係止ピン５のピニオンギヤ５４に対し、別の独立したピニオンギヤ５５を介して歯合する。
これにより、受座ピン７は、突出することにより係止ピン５を突出状態にするとともに、退入することにより係止ピン５を退入状態とすることができる。
【００６１】
このように、本第７実施例のドアガード装置は、係止ピン５が受座６に揺動可能に枢着され、揺動により突出するよう設けられるとともに、出没機構が、受座６に退入方向に付勢して出没可能に設けられ、かつ突出することにより係止ピン５を突出状態にするとともに退入することにより係止ピン５を退入状態とする受座ピン７と、該受座ピン７の先端に設けられた磁石７２と、台座１に設けられ、ドアＤの閉止位置で受座ピン７の磁石７２と対面する異極の磁石１１とを備えることから、係止アーム２を係止ピン５に掛けるドアＤの閉止位置では引き合う磁石１１、７２により係止ピン５を突出させるとともに、係止アーム２を外してドアＤを開けた後は、受座ピン７の復帰する力により係止ピン５を退入させることができる。
【実施例８】
【００６２】
図２０に、本発明のドアガード装置の第８実施例を示す。
このドアガード装置は、第６実施例又は第７実施例の係止ピン５側の構造を変更したものであり、係止ピン５をドアフレームＦの内面と平行に揺動可能に枢着することにより、係止ピン５をドアフレームＦの内面に沿う邪魔になりにくい位置に退入させるようにしている。
【００６３】
出没機構は、第６実施例又は第７実施例と同様のものを使用することができる。
この場合、図示省略しているが、ピニオンギヤは係止ピン５の枢着部の上部又は下部に設けるようにする。
また、受座ピンは、ドアフレームＦの内面に沿って水平に摺動するように、ピニオンギヤの上又は下側に設けることができる。
【００６４】
このように、本第８実施例のドアガード装置は、係止ピン５をドアフレームＦの内面と平行に揺動可能に枢着することから、係止ピン５をドアフレームＦの内面に沿う邪魔になりにくい位置に退入させることができる。
【実施例９】
【００６５】
図２１〜図２３に、本発明のドアガード装置の第９実施例を示す。
このドアガード装置は、係止ピン５が受座６に揺動可能に枢着され、揺動により出没するよう設けられるとともに、出没機構が、係止ピン側に設けられ、かつ移動することにより係止ピン５を揺動させる磁石５２と、ドアの閉止位置で係止ピン側の磁石５２に作用して移動させる台座１側の磁石１３とを備えている。
【００６６】
係止ピン５は、水平面上を揺動するように受座６に枢着されており、ドアＤ側に揺動することにより突出状態となる。
係止ピン５の枢着部には、ドアフレーム側で受座６に回動可能に枢着されたピニオンギヤ５５と歯合するピニオンギヤ５４が設けられており、該ピニオンギヤ５４は、ドアフレーム側のピニオンギヤ５５を介して回転することにより、係止ピン５を突出状態と退入状態の間で揺動させる。
【００６７】
ピニオンギヤ５５には、係止ピン側の磁石として一部に磁石５２が埋設されており、ドアの閉止位置で異極の台座１側の磁石１３と引き合うことにより、ピニオンギヤ５５を回転させ、係止ピン５を退入状態から突出状態に揺動させる。
また、ピニオンギヤ５５又は係止ピン５の枢着部には、ねじりばね（図示省略）が配設されており、係止アーム２を外してドアを開けた後は、係止ピン５は磁石の力から解放されるため、このねじりばねの力によって自動的に退入する。
【実施例１０】
【００６８】
図２４〜図２６に、本発明のドアガード装置の第１０実施例を示す。
このドアガード装置は、第９実施例と同様に、係止ピン５が受座６に揺動可能に枢着され、揺動により出没するよう設けられるとともに、出没機構が、係止ピン側に設けられ、かつ移動することにより係止ピン５を揺動させる磁石５２と、ドアの閉止位置で係止ピン側の磁石５２に作用して移動させる台座１側の磁石１３とを備えている。
【００６９】
本実施例では、係止ピン側の磁石５２は、ピニオンギヤを介することなく、係止ピン５の枢着軸５６に同軸に設けられている。なお、枢着軸５６には回り止めのセレーション５６ａと角部５６ｂとが設けられている。
この場合、図２６（ｅ）に示すように、係止ピン側磁石５２の部材は必ずしも円盤状に形成する必要はない。
また、係止ピン側磁石５２の配置位置を変えることにより、台座側磁石１３として同極の反発する磁石を使用することもできる。
【実施例１１】
【００７０】
図２７〜図２８に、本発明のドアガード装置の第１１実施例を示す。
このドアガード装置は、第９実施例又は第１０実施例の係止ピン５側の構造を変更したものであり、係止ピン５をドアフレームの内面と平行に揺動可能に枢着することにより、係止ピン５をドアフレームの内面に沿う邪魔になりにくい位置に退入させるようにしている。
【００７１】
出没機構は、第９実施例又は第１０実施例と同様のものを使用することができるが、本実施例では、係止ピン側の磁石５２は、係止ピン５の枢着部と同軸でドアフレーム側に配設されている。
係止ピン５は、ドアの閉止位置で異極の台座１側の磁石１３と引き合うことにより、退入状態から略水平の突出状態に揺動する。
この場合、係止ピン５の退入位置は上方又は下方となり、下方の場合は重力により退入し、上方の場合はねじりばね等により退入する。
また、本実施例においても、係止ピン側磁石５２の配置位置を変えることにより、台座側磁石１３として同極の反発する磁石を使用することもできる。
なお、図２８（ｄ）に示すように、係止ピン側磁石５２の部材は必ずしも円盤状に形成する必要はない。
【実施例１２】
【００７２】
図２９に、本発明のドアガード装置の第１２実施例を示す。
このドアガード装置は、第１１実施例と同様に、係止ピン５をドアフレームの内面と平行に揺動可能に枢着することにより、係止ピン５をドアフレームの内面に沿う邪魔になりにくい位置に退入させるようにしている。
【００７３】
出没機構は、第１１実施例と同様のものを使用することができるが、本実施例では、係止ピン側の磁石５２は、係止ピン５の枢着部に挿入するように配設されている。
係止ピン５は、ドアの閉止位置で、磁石５２と台座１側の磁石１３の作用により、退入状態から略水平の突出状態に揺動する。
この場合、係止ピン５の退入位置は上方又は下方となり、下方の場合は重力により退入し、上方の場合はねじりばね等により退入する。
【実施例１３】
【００７４】
図３０〜図３２に、本発明のドアガード装置の第１３実施例を示す。
このドアガード装置は、第９実施例や第１０実施例と同様に、係止ピン５が受座６に揺動可能に枢着され、揺動により出没するよう設けられるとともに、出没機構が、係止ピン側に設けられ、かつ移動することにより係止ピン５を揺動させる磁石５２と、ドアの閉止位置で係止ピン側の磁石５２に作用して移動させる台座１側の磁石１３とを備えている。
【００７５】
本実施例では、係止ピン側の磁石５２は、係止ピン５の退入位置で、ドア閉止位置の台座側磁石１３と対面する位置に設けられており、同極の台座側磁石１３と対面することにより反発して、係止ピン５を退入状態から突出状態に揺動させる。
また、係止ピン５の枢着部には、ねじりばね（図示省略）が配設されており、係止アーム２を外してドアを開けた後は、係止ピン５は磁石の力から解放されるため、このねじりばねの力によって自動的に退入する。
この場合、係止ピン側磁石５２の角度位置を変えることにより、台座側磁石１３として異極の吸着する磁石を使用することもできる。
【００７６】
この第１３実施例のガード装置は、部品点数が最も少なく、同極の磁石を使うにしても、異極の磁石を使うにしても設計が簡単であり、係止ピン側磁石５２の角度位置を調整することにより、係止ピン５の揺動をより機敏にすることができる。
【実施例１４】
【００７７】
図３３に、本発明のドアガード装置の第１４実施例を示す。
このドアガード装置は、第１３実施例と同様、係止ピン５が受座６に揺動可能に枢着され、揺動により出没するよう設けられるとともに、出没機構が、係止ピン側に設けられ、かつ移動することにより係止ピン５を揺動させる磁石５２と、ドアの閉止位置で係止ピン側の磁石５２に作用して移動させる台座１側の磁石１３とを備えている。
【００７８】
出没機構は、第１３実施例と同様のものを使用することができるが、本実施例では、係止ピン側の磁石５２は、係止ピン５の基端部に挿入するように配設されている。
なお、本実施例のその他の構成は、第１３実施例と同様である。
【００７９】
この第１４実施例のガード装置は、部品点数が最も少なく、同極の磁石を使うにしても、異極の磁石を使うにしても設計が簡単であり、係止ピン側磁石５２の角度位置を調整することにより、係止ピン５の揺動をより機敏にすることができる。
【００８０】
このように、本第９〜第１４実施例のドアガード装置は、係止ピン５が受座６に揺動可能に枢着され、揺動により出没するよう設けられるとともに、出没機構が、係止ピン側に設けられ、かつ移動することにより係止ピン５を揺動させる磁石５２と、ドアの閉止位置で係止ピン側の磁石５２に作用して移動させる台座側の磁石１３とを備えることから、係止アーム２を係止ピン５に掛けるドアの閉止位置では、作用し合う磁石により係止ピン５を突出させるとともに、係止アーム２を外してドアを開けた後は、磁石の力を解放し、ばねや重力等によって係止ピン５を退入させることができる。
【００８１】
かくして、上記第１〜第１４実施例のドアガード装置は、台座１を介して係止アーム２を揺動可能に取り付けるとともに、該係止アーム２のスライド溝３に、係止ピン５をスライド可能に掛け止めるドアガード装置において、前記係止ピン５を受座６に出没可能に設けるとともに、該係止ピン５を、前記係止アーム２の位置、具体的には、係止アーム２を揺動可能に取り付けた台座１の位置や係止アーム２の揺動位置に応じて、係止アーム２を掛け止める突出状態と、該突出状態から退入する退入状態とに選択的に出没させる出没機構を設けることにより、係止ピン５を必要としない普段は退入させ、係止アーム２を掛け止めるために係止ピン５を使用するときに突出させることにより、出入りの邪魔にならないようにするとともに、玄関の見栄えを向上させることができる。
【００８２】
以上、本発明のドアガード装置について、複数の実施例に基づいて説明したが、本発明は上記実施例に記載した構成に限定されるものではなく、各実施例に記載した構成を適宜組み合わせることができる。
例えば、上記第２〜第４実施例のドアガード装置において、係止ピン５を必要としない普段は、係止ピン５を、磁石の磁力に代えて、ばねの付勢力によって退入状態を維持するようにし、係止アーム２を掛け止めるために係止ピン５を使用するときに、ばねの付勢力に抗して上記第２〜第４実施例と同様の方式による磁石の磁力を作用させることによって、係止ピン５を突出状態にするようにしたり、上記第３実施例等のドアガード装置において、係止アーム２の台座１に配設している磁石を、上記第２実施例のドアガード装置のように係止アーム２に配設することにより、係止アーム２の動作に応じて係止ピン５を動作させるようにしたり、さらに、ドアの適宜位置に配設するするようにする等、その趣旨を逸脱しない範囲において適宜その構成を変更することができる。
【産業上の利用可能性】
【００８３】
本発明のドアガード装置は、係止ピンを使用するときに突出させることにより、出入りの邪魔にならないようにするとともに、玄関の見栄えを向上させるという特性を有していることから、使い勝手のよい高品位なドアガード装置として広く好適に用いることができる。
【図面の簡単な説明】
【００８４】
【図１】本発明のドアガード装置の第１実施例を示し、（ａ）はドアを閉じた状態を示す正面図、（ｂ）は係止アームを起こした状態を示す正面図である。
【図２】係止ピンと受座を示し、（ａ）はその２面図、（ｂ）は係止ピンの退入状態を示す断面図、（ｃ）は係止ピンの突出状態を示す断面図である。
【図３】係止アームと台座を示し、（ａ）はその正面図、（ｂ）は同底面図、（ｃ）は係止アームを起こした状態を示す底面図である。
【図４】（ａ）は受座の２面図、（ｂ）は係止ピンの３面図、（ｃ）は受座ピンの３面図、（ｄ）はピニオンギヤの２面図である。
【図５】本発明のドアガード装置の第２実施例を示し、（ａ）はドアを閉じた状態を示す正面図、（ｂ）は係止アームを起こした状態を示す正面図である。
【図６】係止ピンと受座を示し、（ａ）はその２面図、（ｂ）は係止ピンの退入状態を示す断面図、（ｃ）は係止ピンの突出状態を示す断面図である。
【図７】係止アームと台座を示し、（ａ）はその正面図、（ｂ）は同底面図、（ｃ）は係止アームを起こした状態を示す底面図である。
【図８】（ａ）は受座の２面図、（ｂ）は係止ピンの３面図、（ｃ）は受座ピンの３面図、（ｄ）はピニオンギヤの２面図である。
【図９】本発明のドアガード装置の第３実施例を示し、（ａ）はドアが開いた状態を示す正面図、（ｂ）はドアを閉じた状態を示す一部断面正面図、（ｃ）は（ｂ）の状態から係止アームを起こした状態を示す一部断面正面図である。
【図１０】係止ピンと受座を示し、（ａ）はその２面図、（ｂ）は係止ピンの退入状態を示す断面図、（ｃ）は係止ピンの突出状態を示す断面図である。
【図１１】係止アームと台座を示し、（ａ）はその底面図、（ｂ）は同正面図、（ｃ）は係止アームを起こした状態を示す正面図、（ｄ）は係止アームを倒した状態を示す左側面図である。
【図１２】（ａ）は受座及び係止ピンの２面図、（ｂ）は係止ピンの３面図、（ｃ）は抜け止めピンの２面図、（ｄ）は係止ピンに緩衝ゴムを設けた正面図、（ｅ）は受座の３面図である。
【図１３】本発明のドアガード装置の第４実施例を示し、（ａ）はドアが開いた状態を示す正面図、（ｂ）はドアを閉じた状態を示す一部断面正面図、（ｃ）は（ｂ）の状態から係止アームを起こした状態を示す一部断面正面図である。
【図１４】係止ピンと受座を示し、（ａ）は係止ピンの退入状態を示す３面図、（ｂ）は係止ピンの突出状態を示す３面図である。
【図１５】（ａ）は受座の３面図、（ｂ）は係止ピンの２面図である。
【図１６】本発明のドアガード装置の第５実施例を示し、（ａ）はドアを閉めた状態を示す平面図、（ｂ）は係止アームを係止ピンに掛止した状態を示す平面図、（ｃ）は係止アームを係止ピンから外してドアを開いた状態を示す平面図である。
【図１７】同ドアガード装置の受座ピンを示し、（ａ）は受座ピンがいっぱいに押し込まれた状態を示す平面図、（ｂ）は受座ピンが少し戻った状態を示す平面図である。
【図１８】本発明のドアガード装置の第６実施例を示し、（ａ）はドアを閉めた状態を示す平面図、（ｂ）は係止アームを係止ピンに掛止した状態を示す平面図、（ｃ）は係止アームを係止ピンから外してドアを開いた状態を示す平面図である。
【図１９】本発明のドアガード装置の第７実施例を示し、（ａ）はドアを閉めた状態を示す平面図、（ｂ）は係止アームを係止ピンに掛止した状態を示す平面図、（ｃ）は係止アームを係止ピンから外してドアを開いた状態を示す平面図である。
【図２０】本発明のドアガード装置の第８実施例を示し、（ａ）はドアを閉めた状態を示す平面図、（ｂ）は係止アームを係止ピンに掛止した状態を示す平面図、（ｃ）は係止アームを係止ピンから外してドアを開いた状態を示す平面図である。
【図２１】本発明のドアガード装置の第９実施例を示し、（ａ）はドアを閉めた状態を示す正面図、（ｂ）は同底面図である。
【図２２】同ドアガード装置の係止ピンを示し、（ａ）はドアを開けた状態を示す正面図、（ｂ）は同断面底面図、（ｃ）はドアを閉めた状態を示す正面図、（ｄ）は同断面底面図である。
【図２３】同ドアガード装置を示し、（ａ）は係止ピンの２面図、（ｂ）はピニオンギヤの正面図、（ｃ）は受座の３面図である。
【図２４】本発明のドアガード装置の第１０実施例を示し、（ａ）はドアを閉めた状態を示す正面図、（ｂ）は同底面図である。
【図２５】同ドアガード装置の係止ピンを示し、（ａ）はドアを開けた状態を示す正面図、（ｂ）は同底面図、（ｃ）はドアを閉めた状態を示す正面図、（ｄ）は同底面図である。
【図２６】同ドアガード装置を示し、（ａ）は係止ピンの２面図、（ｂ）は係止ピン側磁石の２面図、（ｃ）は係止ピンの枢着軸の正面図、（ｄ）は受座の３面図、（ｅ）は係止ピン側磁石の他の例を示す２面図である。
【図２７】本発明のドアガード装置の第１１実施例を示し、（ａ）はドアを閉めた状態を示す正面図、（ｂ）は同底面図、（ｃ）は係止ピンのドアを閉めたときの状態を示す正面図、（ｄ）は同底面図、（ｅ）は係止ピンのドアを開けたときの状態を示す正面図、（ｆ）は同底面図である。
【図２８】同ドアガード装置を示し、（ａ）は係止ピンの４面図、（ｂ）は受座の３面図、（ｃ）は係止ピン側磁石の３面図、（ｄ）は係止ピン側磁石の他の例を示す正面図である。
【図２９】本発明のドアガード装置の第１２実施例を示し、（ａ）はドアを開けた状態の係止ピンを示す正面図、（ｂ）はドアを閉めた状態のドアガード装置を示す正面図である。
【図３０】本発明のドアガード装置の第１３実施例を示し、（ａ）はドアを閉めた状態を示す正面図、（ｂ）は同底面図である。
【図３１】同ドアガード装置の係止ピンを示し、（ａ）はドアを開けた状態を示す正面図、（ｂ）は同底面図、（ｃ）はドアを閉めた状態を示す正面図、（ｄ）は同底面図である。
【図３２】同ドアガード装置を示し、（ａ）は係止ピンの２面図、（ｂ）は受座の３面図である。
【図３３】本発明のドアガード装置の第１４実施例を示し、（ａ）はドアを閉めた状態を示す正面図、（ｂ）は同底面図である。
【図３４】従来のドアガード装置の取付状態を示し、（ａ）は係止アームを示す正面図、（ｂ）は係止ピンを係止アームに掛止した状態を示す平面図、（ｃ）は係止ピンを係止アームに掛止した状態でドアを開いた平面図、（ｄ）はドアガード装置を解錠して係止ピンを係止アームから抜いた状態を示す平面図である。
【符号の説明】
【００８５】
１    台座
１１  異極の磁石
１２  同極の磁石
１３  磁石
２    係止アーム
２１  揺動軸
２２  磁石
３    スライド溝
４    頭部
５    係止ピン
５１  ラック
５２  磁石
５３  抜け止めピン
５４  ピニオンギヤ
５５  ピニオンギヤ
５６  枢着軸
６    受座
６１  ピニオンギヤ
６２  溝
６３  凹部
７    受座ピン
７１  ラック
７２  磁石
７３  ばね
７４  ばね
７５  引っ張りばね
８    押圧片
９    緩衝ゴム
【図１】
2008175044.tif 000003
【図２】
2008175044.tif 000004
【図３】
2008175044.tif 000005
【図４】
2008175044.tif 000006
【図５】
2008175044.tif 000007
【図６】
2008175044.tif 000008
【図７】
2008175044.tif 000009
【図８】
2008175044.tif 000010
【図９】
2008175044.tif 000011
【図１０】
2008175044.tif 000012
【図１１】
2008175044.tif 000013
【図１２】
2008175044.tif 000014
【図１３】
2008175044.tif 000015
【図１４】
2008175044.tif 000016
【図１５】
2008175044.tif 000017
【図１６】
2008175044.tif 000018
【図１７】
2008175044.tif 000019
【図１８】
2008175044.tif 000020
【図１９】
2008175044.tif 000021
【図２０】
2008175044.tif 000022
【図２１】
2008175044.tif 000023
【図２２】
2008175044.tif 000024
【図２３】
2008175044.tif 000025
【図２４】
2008175044.tif 000026
【図２５】
2008175044.tif 000027
【図２６】
2008175044.tif 000028
【図２７】
2008175044.tif 000029
【図２８】
2008175044.tif 000030
【図２９】
2008175044.tif 000031
【図３０】
2008175044.tif 000032
【図３１】
2008175044.tif 000033
【図３２】
2008175044.tif 000034
【図３３】
2008175044.tif 000035
【図３４】
2008175044.tif 000036